(57)【要約】【課題】  苗のせ台の折り畳み時に取外したエプロンを、走行機体後部に保持させ、水田作業機の使用時に、それらの装着を確実に行えるように取扱い性を向上させた水田作業機を提供する。【解決手段】  走行機体１４と該走行機体１４に昇降自在に支持された植付け装置４１とを備え、該植付け装置４１は、左右方向に移動自在に支持された苗のせ台５１と、該苗のせ台５１の下端に位置して該苗のせ台５１上の苗を支持するエプロン５５、５６と、該エプロン５５、５６部分から前記苗のせ台５１上の苗を掻取って植付ける植付け機構４４とを有する水田作業機１０の前記走行機体１４の前記植付け装置４１側端部に延びるステップ１９の後方にエプロン支持部材２４を配置した。植付け装置４１の幅を縮小した時、植付け装置４１から分離されたエプロン５６を前記エプロン支持部材２４で支持する。【選択図】      図１
2005295881.tif 000002
【特許請求の範囲】
【請求項１】
走行機体と該走行機体に昇降自在に支持された植付け装置と、を備え、該植付け装置は、左右方向に移動自在に支持された苗のせ台と、該苗のせ台の下端に位置して該苗のせ台上の苗を支持するエプロンと、該エプロン部分から前記苗のせ台上の苗を掻取って植付ける植付け機構と、を有し、前記苗のせ台の端部が分離して機体内方に格納し得る、水田作業機において、
前記走行機体の前記植付け装置側端部分に、ステップを設け、
前記エプロンの端部を分離可能とし、該分離されたエプロン部分を支持し得るエプロン支持部材を前記ステップ後方に配置した、
ことを特徴とする水田作業機。
【請求項２】
機体左右の前記ステップに亘って、ループ状のガード部材を設け、
前記エプロン支持部材を、前記ガード部材の幅内に納まるように配置してなる、
請求項１記載の水田作業機。
【請求項３】
前記植付け装置に整地具を設け、
該整地具の左右両端部分を分離可能とし、該分離された整地具部分を支持し得る整地具支持部材を前記ステップの後方に配置してなる、
請求項１記載の水田作業機。
【発明の詳細な説明】
【技術分野】
【０００１】
本発明は、苗のせ台の幅を可変にした水田作業機に関する。
【背景技術】
【０００２】
苗を複数条同時に植付ける水田作業機（乗用田植機）では、同時に植付ける苗の条数が多くなると、苗のせ台の幅が、走行機体の幅より大きくなってその両側へ飛び出すようになっており、さらにその両側にエプロン部が突出する構成になっている。このため、水田作業機の格納時や格納場所と圃場の間の運搬時に、複数条分の苗のせ台を折り畳める構造になっている（例えば、特許文献１参照）。
【０００３】
この水田作業機においては、苗のせ台とエプロン部が一体構造になっており、苗のせ台を折り畳むと同時にエプロン部も折り畳まれる。
【０００４】
【特許文献１】特開２００１−１６９２７号公報（第６−７頁、図８）
【発明の開示】
【発明が解決しようとする課題】
【０００５】
従来の水田作業機では、エプロン部や整地具を水田作業機から取外す構成とした場合には、取外されたエプロン部や整地具を水田作業機とは別途保管しなければならず、水田作業機の使用に際して、水田作業機にエプロン部や整地具等の部品の装着を忘れるなど取扱い性に難がある。
【０００６】
前記の課題に鑑み、本発明は、苗のせ台の折り畳み時に取外したエプロン部や整地具等の部品を、走行機体後部に保持させ、水田作業機の使用時に、それらの装着を確実に行えるようにした水田作業機を提供することを目的とする。
【課題を解決するための手段】
【０００７】
前記目的を達成するため、請求項１に係る本発明は、走行機体（１４）と該走行機体（１４）に昇降自在に支持された植付け装置（４１）と、を備え、該植付け装置（４１）は、左右方向に移動自在に支持された苗のせ台（５１）と、該苗のせ台（５１）の下端に位置して該苗のせ台（５１）上の苗を支持するエプロン（５５、５６）と、該エプロン（５５、５６）部分から前記苗のせ台（５１）上の苗を掻取って植付ける植付け機構（４４）と、を有し、前記苗のせ台（５１）の端部が分離して機体内方に格納し得る、水田作業機（１０）において、
前記走行機体（１４）の前記植付け装置（４１）側端部分に、ステップ（１９）を設け、
前記エプロン（５５、５６）の端部を分離可能とし、該分離されたエプロン（５６）部分を支持し得るエプロン支持部材（２４）を前記ステップ（１９）後方に配置した、
ことを特徴とする水田作業機にある。
【０００８】
請求項２に係る本発明は、機体左右の前記ステップ（１９）に亘って、ループ状のガード部材（２１）を設け、
前記エプロン支持部材（２４）を、前記ガード部材（２１）の幅内に納まるように配置してなる、
請求項１記載の水田作業機にある。
【０００９】
請求項３に係る本発明は、前記植付け装置（４１）に整地具（６３、６５）を設け、
該整地具（６３、６５）の左右両端部分を分離可能とし、該分離された整地具（６５）部分を支持し得る整地具支持部材（２５）を前記ステップ（１９）の後方に配置してなる、
請求項１記載の水田作業機にある。
【００１０】
なお、前記した括弧内の符号等は、図面を参照するためのものであって、本発明を何ら限定するものではない。
【発明の効果】
【００１１】
請求項１に係る本発明によると、エプロンを分離可能としたので、エプロンを折り畳むものに比して構造が簡単でありながら、該分離したエプロン部は、ステップ後方のエプロン支持部材に支持することができ、該エプロン部のための特別なスペースを必要とせず、またエプロン支持部材は植付け装置に近い目につき易い部分に設置されるので、分離エプロン部の格納場所を忘れることがなく、取扱い性を向上し得る。
【００１２】
請求項２に係る本発明によると、分離エプロン部をガード部材の幅内に収めるので、分離エプロン部が保護されて、収納時に変形する等の不具合を防止できる。
【００１３】
請求項３に係る本発明によると、整地具も分離可能としたので、簡単な構造でありながら、該分離した部分の整地具は、ステップ後方のローラ支持部材に支持することができ、該分離ローラのための特別なスペースを必要とせず、またローラ支持部材は植付け装置に近い目につき易い部分に設置されるので、分離ローラ部の収納場所を忘れることがなく、取扱い性を向上し得る。
【発明を実施するための最良の形態】
【００１４】
以下、図面に基づき本発明の実施の形態を説明する。
【００１５】
図１は、作業状態の水田作業機の側面図、図２は、図１の平面図、図３は、苗のせ台を折り畳んだ状態の水田作業機の側面図、図４は、図３の平面図、図５は、ガードの斜視図である。
【００１６】
図１乃至図４に示すように、水田作業機１０は、走行部１１と植付け部４１とにより構成されている。前記走行部１１は、前輪１２と後輪１３に支持された走行機体１４を有し、該走行機体１４の先端部には、エンジン（図示せず）が支持され、カバー１５で覆われている。前記走行機体１４の中央部には、操向ハンドル１６、座席シート１７を有する操縦部１８が配置されている。前記走行機体１４の左右両側には、前記操縦部１８の側面から前記走行機体１４の後部（後述する植付け装置４１側端部）にかけてステップ１９が設置されている。
【００１７】
前記ステップ１９の後端部には、ガード２１が設置されている。前記ガード２１は、図５に示すように、Ｉ字状の鋼管２２に逆U字状に整形された鋼管２３を固定した形状に形成され、該鋼管２２には、それぞれ複数のエプロン支持部材２４と整地具支持部材２５が鋼管２３の開口部の幅内に位置するように設置されている。
【００１８】
図１、図３に示すように、前記走行機体１４の後部には、昇降リンク機構３１が設置されている。前記昇降リンク機構３１は、それぞれ前端側が前記走行機体１４側に揺動自在に支持されたアッパリンク３２及びロアリンク３３と、該アッパリンク３２及びロアリンク３３の後端に揺動自在に連結されたリンクホルダ３４と、油圧シリンダ３５を有し、該油圧シリンダ３５の作動により前記リンクホルダ３４が昇降するようになっている。前記リンクホルダ３４から後方に向けて突出するローリング軸（図示せず）に前記植付け装置４１がローリング自在に支持されている。
【００１９】
前記植付け装置４１は、前記ローリング軸に揺動自在に連結されるフレーム４２と、該フレーム４２から後方に突出する植付けケース４３と、該植付けケース４３の後端に回転自在に配置され、苗を圃場に植付ける複数の植付け機構４４と、前記植付けケース４３の下面に支持されたフロート４５を有している。
【００２０】
前記植付け装置４１のフレーム４２には、前記植付けケース４３の上方に位置し、前記植付け機構４４の上方より前記後輪１３の上方に向けて前後方向に傾斜した状態で配置され、マット状の苗を載せる苗のせ台５１を備えている。また、前記フレーム４２の前方下方には、代掻き用の整地装置（整地ロータ）６１が配置されている。
【００２１】
前記苗のせ台５１は、図２、図４に示すように、７条分の苗を載せる苗のせ台５２と、その左側に位置し、該苗のせ台５２に対して相対的に移動可能であり、１条分の苗を載せる可動苗のせ台５３とを備え、該可動苗のせ台５３は、折り畳み機構５４（図３参照）を介して該苗のせ台５２と一体に支持されている。
【００２２】
前記苗のせ台５２の下部には、該苗のせ台５２上に載置された苗を支持するエプロン５５が配置されている。前記エプロン５５の両端には、図２に示すように、前記可動苗のせ台５３上に載置された苗を支持するエプロン５６が、それぞれ着脱自在に装着されている。前記フレーム４２には、前記エプロン５６の前方および側方を囲うように、前記植付け装置４１のスタンドを兼ねるエプロンガード５７が揺動自在に支持されている。
【００２３】
前記整装置６１は、回転自在に配置された取付軸６２に装着された複数の整地具（整地ローラ）６３と、それぞれ該取付軸６２の端部に着脱自在に連結される軸部６４を有する整地具（整地ローラ）６５を有している。
【００２４】
このような構成で、通常の苗の植付け作業は、図１、図２に示すように、苗のせ台５３Ｌ、５３Ｒを展開し、取付軸６２の両端に軸部６４を装着して整地具６５取り付けると共に、エプロン５５の両端にエプロン５６を装着した状態で行う。
【００２５】
水田作業機１０をトラック等に積んで運搬したり、格納する場合には、図３、図４に示すように、苗のせ台５２、可動苗のせ台５３を走行機体１４の左側に寄せ、折り畳み機構５４の作動により可動苗のせ台５３を、図３に示すように、苗のせ台５２の後方に移動させる。即ち、苗のせ台５１を折り畳む。
【００２６】
また、エプロン５５の両端に装着されていたエプロン５６と、取付軸６２の両端に装着されていた整地具６５を取外すと共に、エプロンガード５７を上方へ揺動させることにより、植付け装置４１の幅を縮小させる。
【００２７】
植付け部４１から取外されたエプロン５６及び整地具６５は、図５に示すように、ガード２１に配置されたエプロン支持部材２４と整地具支持部材２５に装着して格納する。
【００２８】
このように、操縦部１８の後部に配置されたガード２１にエプロン５６と整地具６５を格納することにより、エプロン５６と整地具６５は見やすい位置に保管することができるので、保管場所を忘れたり、使用時に装着を忘れるなどの不具合をなくし、取扱い性を向上させることができる。
【００２９】
また、ステップ１９に走行機体１４の後部に位置するように配置したガード２１にエプロン支持部材２４と整地具支持部材２５を配置し、エプロン５６や整地具６５を格納するようにしているので、これらを植付け装置４１に格納する場合に比べ、水田作業機１０の走行による振動や植付け装置４１の昇降により、エプロン５６や整地具６５が脱落することを少なくすることができる。
【００３０】
また、植付け装置４１から取外したエプロン５６を、ガード２１の幅内に配置されたエプロン支持部材２４で支持するようにしているので、エプロン５６がガード２１に保護される形となり、エプロン５６の変形等の不具合を防止することができる。
【００３１】
また、ガード２１をステップ１９の走行機体の後部に配置しているので、作業者が走行機体１４上で移動する際の妨げにならず、苗の供給時など円滑な作業を可能とすることができる。
【図面の簡単な説明】
【００３２】
【図１】作業状態の水田作業機の側面図である。
【図２】図１の平面図である。
【図３】苗のせ台を折り畳んだ状態の水田作業機の側面図である。
【図４】図３の平面図である。
【図５】ガードの斜視図である。
【符号の説明】
【００３３】
１０  水田作業機
１４  走行機体
２１  ガード部材（ガード）
２４  エプロン支持部材
２５  整地具支持部材
４１  植付け装置
４４  植付け機構
５１  苗のせ台
５２  苗のせ台
５３  可動苗のせ台
５５  エプロン
５６  エプロン
６３  整地具
６５  整地具
【図１】
2005295881.tif 000003
【図２】
2005295881.tif 000004
【図３】
2005295881.tif 000005
【図４】
2005295881.tif 000006
【図５】
2005295881.tif 000007